(57)【要約】      （修正有）【課題】デジタル写真等をＣＤ等の記録媒体に記録する際に、複数の記録作成要求を受付けることができ、受付け順に順次記録媒体を作成できるキヨスク端末装置を提供する。【解決手段】デジタルデータの記録を希望する作成要求があると（Ｓ１０１；Ｙｅｓ）、記録するデジタルデータを読み込んで記憶する等の記録媒体の作成に必要な受付処理のみを行い（Ｓ１０２）、受付け処理を完了し（Ｓ１０３；Ｙｅｓ）、受付けたジョブを実行するための登録を行って（Ｓ１０４）、次の作成要求を受け付ける（Ｓ１０１）。ジョブの登録が行われると、希望するデジタルデータの記録媒体への書込処理が受付順に順次実行され、完成した記録媒体は内部に保管される。利用者から完成した記録媒体の取出し要求（発行要求）があると、対応する完成した記録媒体を外部に排出する発行処理が行われる（Ｓ１０６）。これにより、希望する記録媒体が発行されて取出し可能となる。【選択図】図４
2007128130.tif 000002
【特許請求の範囲】
【請求項１】
デジタルデータを記録媒体に記録するデータ記録部を備えており、操作入力に基づいて、所望のデジタルデータを記録媒体に記録して発行するキヨスク端末装置であって、
所望のデジタルデータを記録媒体に記録する作成要求、作成された記録媒体を取出す発行要求、及び前記デジタルデータその他の情報の入力を行う入出力部と、
前記各要求及び前記情報の入力を受付け、記録を希望する前記デジタルデータを一時記憶部に記憶し、固有の受付認証情報を発行する受付制御部と、
前記一時記憶部に記憶した前記デジタルデータを前記記録媒体へ記録するための記録媒体の作成処理を制御する作成制御部と、
前記デジタルデータの記録処理が完了した作成済記録媒体を保管する保管部と、
前記入出力部から入力される前記発行要求及び前記受付認証情報に基づいて、要求された前記作成済記録媒体を前記保管部から取出して発行する発行制御部と、
を備えることを特徴とするキヨスク端末装置。
【請求項２】
前記受付制御部は、前記デジタルデータの一時記憶が完了した後に、前記受付認証情報を発行することを特徴とする請求項１に記載のキヨスク端末装置。
【請求項３】
前記受付制御部は、作成要求を受付けた利用者の連絡先情報を取得する手段を備え、
前記発行制御部は、前記記録媒体への記録処理が完了したときに、前記連絡先情報に基づいて、記録媒体の作成が完了した旨の完成通知を出力することを特徴とする請求項１または２に記載のキヨスク端末装置。
【請求項４】
前記入出力部はバーコード印刷装置及びバーコード読取装置を備え、
前記受付制御部は、作成要求時に、前記受付認証情報をバーコード印刷した認証シートを発行し、前記発行制御部は、前記発行要求時に前記認証シートのバーコードを読み取り、発行要求者の受取権限の認証を行うことを特徴とする請求項１乃至３のいずれか１項に記載のキヨスク端末装置。
【請求項５】
前記入出力部は磁気カード読書装置を備え、前記受付制御部は、前記作成要求の受付け時に、前記受付認証情報を磁気記録した磁気カードを発行し、
前記発行制御部は、前記発行要求時に前記磁気カード読書装置により前記磁気カードの認証情報を読み取り、発行要求者の受取権限の認証を行うことを特徴とする請求項１乃至３のいずれか１項に記載のキヨスク端末装置。
【請求項６】
前記入出力部は、指紋検証装置その他のバイオ認証装置を備えることを特徴とする請求項１乃至３のいずれか１項に記載のキヨスク端末装置。
【請求項７】
（ａ）記録媒体の作成要求を受け付ける受付処理工程と、
（ｂ）指定されたデジタルデータを記録媒体に書き込む作成処理工程と、
（ｃ）作成した記録媒体を発行する発行処理工程と、
を備えるキヨスク端末の記録媒体作成制御方法であって、
前記受付処理工程（ａ）は、
（ａ−１）記録媒体の作成要求応じて作成要求を受付け、指定されたデジタルデータを一時記憶する工程と、
（ａ−２）前記デジタルデータの一時記憶が終了したときに、受付認証情報を発行する工程と、
を備え、
前記作成処理工程（ｂ）は、
（ｂ−１）前記受付けられた前記デジタルデータを、所定の順序で前記記録媒体に記録し、要求された記録媒体を作成する工程と、
（ｂ−２）前記完成した作成済記録媒体を装置内部に保管する工程と、
を備え、
前記発行処理工程（ｃ）は、
（ｃ−１）受付認証情報を提示した発行要求を受付ける工程と、
（ｃ−２）受付認証情報を検証し、要求された作成済記録媒体を発行する工程と、
を備えることを特徴とするキヨスク端末装置の記録媒体作成制御方法。
【請求項８】
前記受付処理工程（ａ）が、さらに、
（ａ−３）作成要求者の連絡先情報を取得する工程を備え、
前記作成処理工程（ｂ）が、さらに、
（ｂ−３）前記記録媒体の作成が完了したときに、前記連絡先情報に基づいて記録媒体の完成を通知する工程を備える
ことを特徴とする請求項７に記載のキヨスク端末装置の記録媒体作成制御方法。
【請求項９】
前記受付処理工程（ａ−２）は、受付認証情報として固有の受付識別番号を含む認証データをバーコード印刷した受付認証シートを発行する工程を含み、
前記発行処理工程（ｃ−３）は、前記受付認証シートからバーコードを読取り、受取権限を認証する工程を含む
ことを特徴とする請求項７または８に記載のキヨスク端末装置の記録媒体作成制御方法。
【請求項１０】
前記受付処理工程（ａ−２）は、受付認証情報として固有の受付識別番号を含む認証データを磁気記録した磁気カードを発行する工程を含み、
前記発行処理工程（ｃ−３）は、前記磁気カードから前記受付認証情報を読み取り、受取権限を認証する工程を含む
ことを特徴とする請求項７または８に記載のキヨスク端末装置の記録媒体作成制御方法。
【発明の詳細な説明】
【技術分野】
【０００１】
本発明は、写真、音楽その他のデータを光ディスク等の記録媒体に書込むことができるキヨスク端末装置及びその記録媒体作成制御方法に関する。
【背景技術】
【０００２】
写真データ、音楽データ、論文等の情報や分析データ等がデジタル化されている今日、これらのデジタルデータを高速で光ディスク等の記録媒体（以下単に、「記録媒体」と称する）に記録することのできる装置が望まれている。また、その際には、記録媒体の記録内容に関する情報をレーベル面に印刷ができることが好ましい。
【０００３】
近時、デジタルカメラが普及してきたことに伴い、デジタル写真をＣＤ、ＤＶＤなどの光ディスクに記録するサービスが提供されている。また、自宅にパーソナルコンピュータ（以下、「ＰＣ」と称する）またはＣＤ等への書込装置を所有していない人が、コンビニ等において、コピーのような感覚でデジタルデータをＣＤ等に記録することができるキヨスク端末装置も提案されている（特許文献１参照）。
【０００４】
【特許文献１】特開平１１−８８１７号公報
【発明の開示】
【発明が解決しようとする課題】
【０００５】
しかし、上記特許文献１に記載のキヨスク端末装置では、先に誰かがキヨスク端末装置を使用していた場合、後の利用者は、現在の利用者のデジタルデータの記録が完了し、記録済みのＣＤ等を受け取るまでそのキヨスク端末装置を使用することができなかった。ＣＤ等の記録媒体への書込みは、ハードディスク等への書込みと比べ、時間がかかるので、後の利用者の待ち時間は長くなる。また、後の利用者のみならず、使用中の利用者にとっても、記録媒体への書込み処理が終わるまでその場で何もせずに待たされることは好ましくない。記録媒体のレーベル印刷が行われる場合には、この待ち時間はさらに長くなる。
【０００６】
本発明はこのような問題点に鑑みてなされたもので、多数の人がオープンスペースにおいて利用することができるキヨスク端末装置であって、高速かつ効率的にデジタルデータを記録媒体に記録することができるキヨスク端末装置及びその記録媒体作成制御方法を提供することを目的とする。
【０００７】
本発明はさらに、記録媒体の作成中に他の利用者の作成要求を受付けることができるキヨスク端末装置及び記録媒体作成制御方法を提供することを目的とする。
【０００８】
尚、本明細書においては、写真、音楽、ソフトウェア、情報その他のデジタルコンテンツ及びデジタルデータを、単に、「デジタルデータ」と称することとし、また、指定されたデジタルデータを記録媒体に書込み、記録媒体を完成することを「記録媒体の作成」と称し、更に利用者による記録媒体の作成の要求を「作成要求」、利用者による記録済みの記録媒体の取出し要求を「発行要求」と称する。
【課題を解決するための手段】
【０００９】
本発明は、作成要求の受付け処理と、記録媒体の作成処理と、完成した記録媒体を要求に応じて排出する発行処理とを、それぞれ独立して実行できるよう構成することにより、上記課題を解決する。
【００１０】
本発明の第１の態様にかかるキヨスク端末装置は、デジタルデータを記録媒体に記録するデータ記録部を備えており、操作入力に基づいて、所望のデジタルデータを記録媒体に記録して発行するキヨスク端末装置であって、所望のデジタルデータを記録媒体に記録する作成要求、作成された記録媒体を取出す発行要求、及び前記デジタルデータその他の情報の入力を行う入出力部と、前記各要求及び前記情報の入力を受付け、記録を希望する前記デジタルデータを一時記憶部に記憶し、固有の受付認証情報を発行する受付制御部と、前記一時記憶部に記憶した前記デジタルデータを前記記録媒体へ記録するための記録媒体の作成処理を制御する作成制御部と、前記デジタルデータの記録処理が完了した作成済記録媒体を保管する保管部と、前記入出力部から入力される前記発行要求及び前記受付認証情報に基づいて、要求された前記作成済記録媒体を前記保管部から取出して発行する発行制御部と、を備えることを特徴とする。
【００１１】
この態様によると、記録媒体の作成要求を受付ける受付処理と、記録が完成した作成済記録媒体の発行処理とを分離することにより、キヨスク端末装置を１人の利用者に占有されることを防止できる。受付認証情報が発行されると利用者の受付操作は完了し、次の利用者の受付けを開始することが可能となる。受付認証情報は、記録を希望するデジタルデータが取得可能となった段階で発行しても、デジタルデータを一時記憶した段階で発行しても良い。記録媒体としては、ＣＤ、ＤＶＤなどの光ディスク、その他の長時間保存ができる媒体であれば、特に限定されない。また、デジタルデータを記録媒体に記録するデータ記録装置を複数台設けて、並列書込み処理を行うことも可能である。さらに、光ディスク等にレーベル印刷を行うレーベル印刷装置を設けることも可能である。
【００１２】
本発明の他の態様にかかるキヨスク端末装置は、前記受付制御部が、前記デジタルデータの一時記憶が完了した後に、前記受付認証情報を発行することを特徴とする。
【００１３】
この態様は、写真データ等のデジタルデータのハードディスク等への一時記憶が完了した段階で、受付処理を終了させることができるようにしている。これは、一時記憶が終わらないと写真データ等が記憶されているメモリカード等を取り外すことができないので、一時記憶が完了してから利用者の受付け処理を完了させることにより、受付け終了持にメモリカード等を取り外して持ち帰ることができるようにしたものである。メモリカード等からハードディク等へのデジタルデータの転写は高速で行うことができるので、このような構成としても、受付処理時間への影響は少ない。
【００１４】
本発明の他の態様にかかるキヨスク端末装置は、前記受付制御部が、作成要求を受付けた利用者の連絡先情報を取得する手段を備え、前記発行制御部が、前記記録媒体への記録処理が完了したときに、前記連絡先情報に基づいて、記録媒体の作成が完了した旨の完成通知を出力することを特徴とする。
【００１５】
この態様は、受付処理を終えてキヨスク端末を離れた利用者に対して、記録媒体の作成が完了したときに、メール等により記録媒体の完成を知らせるよう構成したものである。連絡先情報としては、携帯メールアドレス、携帯電話番号、Ｅ−メールアドレス、固定電話番号等の各種連絡先を採用可能である。
【００１６】
本発明の他の態様にかかるキヨスク端末装置は、前記入出力部がバーコード印刷装置及びバーコード読取装置を備え、前記受付制御部は、作成要求時に、前記受付認証情報をバーコード印刷した認証シートを発行し、前記発行制御部は、前記発行要求時に前記認証シートのバーコードを読み取り、発行要求者の受取権限の認証を行うことを特徴とする。
【００１７】
この態様は、受付認証情報をバーコード印刷して、発行処理時にバーコードリーダで読み取らせて認証を行うようにしたものである。これにより、認証情報の入力ミス等がなくなり、発行処理の操作が容易になる。受付処理の際に精算を行う場合には、精算レシートにバーコード印刷することが望ましい。
【００１８】
本発明の他の態様にかかるキヨスク端末装置は、前記入出力部が磁気カード読書装置を備え、前記受付制御部は、前記作成要求の受付け時に、前記受付認証情報を磁気記録した磁気カードを発行し、前記発行制御部は、前記発行要求時に前記磁気カード読書装置により前記磁気カードの認証情報を読み取り、発行要求者の受取権限の認証を行うことを特徴とする。
【００１９】
この態様は、受付認証情報を磁気記録した磁気カードを発行するものである。これにより、発行要求時における認証処理が、より容易になる。また、磁気カードは、作成済記録媒体を発行するたびに回収されるので、繰り返し使用することが可能となり、運用コストも抑制可能である。
【００２０】
本発明の他の態様にかかるキヨスク端末装置は、前記入出力部が、指紋検証装置その他のバイオ認証装置を備えることを特徴とする。例えば、予め会員等の指紋、掌紋等のバイオデータを登録しておくことにより、会員カードと、バイオデータとを照合することにより、より確実な受取権限の検証が可能となる。
【００２１】
本発明の第１の態様にかかるキヨスク端末装置の記録媒体作成制御方法は、（ａ）記録媒体の作成要求を受け付ける受付処理工程と、（ｂ）指定されたデジタルデータを記録媒体に書き込む作成処理工程と、（ｃ）作成した記録媒体を発行する発行処理工程と、
を備えるキヨスク端末の記録媒体作成制御方法であって、
前記受付処理工程（ａ）は、（ａ−１）記録媒体の作成要求応じて作成要求を受付け、指定されたデジタルデータを一時記憶する工程と、
（ａ−２）前記デジタルデータの一時記憶が終了したときに、受付認証情報を発行する工程と、を備え、
前記作成処理工程（ｂ）は、
（ｂ−１）前記受付けられた前記デジタルデータを、所定の順序で前記記録媒体に記録し、要求された記録媒体を作成する工程と、（ｂ−２）前記完成した作成済記録媒体を装置内部に保管する工程と、を備え、
前記発行処理工程（ｃ）は、（ｃ−１）受付認証情報を提示した発行要求を受付ける工程と、（ｃ−２）受付認証情報を検証し、要求された作成済記録媒体を発行する工程と、
を備えることを特徴とする。
【００２２】
本発明の他の態様にかかるキヨスク端末装置の記録媒体作成制御方法は、
前記受付処理工程（ａ）が、さらに、（ａ−３）作成要求者の連絡先情報を取得する工程を備え、前記作成処理工程（ｂ）が、さらに、（ｂ−３）前記記録媒体の作成が完了したときに、前記連絡先情報に基づいて記録媒体の完成を通知する工程を備えることを特徴とする。
【００２３】
本発明の他の態様にかかるキヨスク端末装置の記録媒体作成制御方法は、前記受付処理工程（ａ−２）が、受付認証情報として固有の受付識別番号を含む認証データをバーコード印刷した受付認証シートを発行する工程を含み、
前記発行処理工程（ｃ−３）が、前記受付認証シートからバーコードを読取り、受取権限を認証する工程を含むことを特徴とする。
本発明の他の態様にかかるキヨスク端末装置の記録媒体作成制御方法は、前記受付処理工程（ａ−２）は、受付認証情報として固有の受付識別番号を含む認証データを磁気記録した磁気カードを発行する工程を含み、
前記発行処理工程（ｃ−３）は、前記磁気カードから前記受付認証情報を読み取り、受取権限を認証する工程を含むことを特徴とする。
【発明の効果】
【００２４】
本発明のキヨスク端末装置は、記録媒体の作成要求の受付処理、記録媒体の作成処理、及び記録媒体の発行処理を分離して独立して実行できるように構成したことにより、先の利用者の記録媒体の作成が完了していなくとも、後続する利用希望者の作成要求を順次受付けることが可能となる。従って、一人の利用者が記録媒体の完成までキヨスク端末を長時間占領することがなく、キヨスク端末装置の効率的な使用が可能となる。
【００２５】
また、記録の完了した記録媒体は装置内部に保管され、受取権限を有する者以外は取出すことができないので、利用者の受付け完了後は、その場を離れて好きな時間に完成した記録媒体を受け取ることができる。これにより、利用者は記録媒体の完成時間を気にすることなく作成待ち時間を有効活用することが可能となる。
【００２６】
また、データ記録装置を複数設けることにより、受付けた複数の作成要求を同時に並行処理することも可能となる。これにより、キヨスク端末装置の作成処理の高速化が可能となり、需要の多い場所であっても、一台のキヨスク端末装置により多くの作成要求を処理できる。
【発明を実施するための最良の形態】
【００２７】
図面を用いて本発明の実施形態を説明する。図１は本発明の一実施形態にかかるキヨスク端末装置１０の外観を示す斜視図であり、図２はキヨスク端末装置１０の構成を示す機能ブロック図である。
【００２８】
本発明にかかるキヨスク端末装置１０は、コンビニ、ゲームセンタ、ステーションビル、公共施設等のオープンスペースに設置され、不特定多数の者または所定の会員（本明細書では、これらのものを「利用者」と称する）により使用されて、希望するデジタルデータをＣＤ等の記録媒体に記録する装置である。前述した通り、デジタルデータには、写真データ、音楽データ、プログラム等のあらゆるデジタルデータを含むが、説明を簡明にするために、以下の説明においては、個人がデジタルカメラで撮影した写真データを用いて説明する。また、本明細書において、デジタルデータを記録媒体に「書込む」とは、ＣＤ等の記録媒体に書込んだデジタルデータをテレビ、ＰＣ等で表示することができるように、所定のフォーマットを変換して書込むことも含むものとする。
【００２９】
キヨスク端末装置１０は、装置内部に、何も記録されていない未使用の記録媒体（以下、「未使用記録媒体」という）を多数収納しており、利用者によるデジタルデータの書込み要求（作成要求）があると、収納している未使用記録媒体を取り出して作成者の希望するデジタルデータを書込む。これとは別に、利用者が持参した記録媒体に、希望するデジタルデータを書込むことも可能である。
【００３０】
キヨスク端末装置１０の内部にレーベルプリンタを設けて、記録媒体のレーベル面に所望の印刷を行うこともできる。デジタルデータが書込まれた記録媒体、またはレーベル印刷が要求される場合にはさらにレーベル印刷が完了した記録媒体（以下、これらを「作成済記録媒体」という）は、取出し要求があるまで、キヨスク端末装置１０の内部に保管される。キヨスク端末装置１０内部に保管された作成済記録媒体は、利用者からの発行要求に基づき、外部に排出（発行）される。受取権限を有しない者による作成済記録媒体の取り出しを防止するために、発行要求の際には、所定の認証を行うことが望ましい。
【００３１】
以下の説明では、キヨスク端末装置１０の内部にレーベルプリンタを備えており、デジタルデータの書き込みの後にレーベル印刷を行うキヨスク端末装置を用いて説明するが、これは例示であり、デジタルデータを記録媒体に書込むだけのキヨスク端末装置も本発明の範囲に含まれる。
【００３２】
＜装置外観と操作方法の説明＞
図１及び図２を用いて本発明の一実施形態にかかるキヨスク端末装置１０の装置外観、操作方法及びその機能を説明する。図１に示す通り、キヨスク端末装置１０の正面中央のほぼ水平な面の左側には、表示画面、タッチプレート、キーボード等を備える操作部５１が設けられている。利用者は操作部５１を操作することにより、記録媒体の作成要求又は作成済記録媒体の取り出しを要求する発行要求を行い、それぞれに要求に必要な情報の入力を行う。利用者の操作により作成要求または発行要求の操作が行われると、対応する操作ガイダンスがスタートする。
【００３３】
正面上部の垂直面の左上部には、デジタルデータを記録したメモリカード等を接続するための接続コネクタ部６３が設けられている。利用者は、作成要求の操作ガイダンスに従い、デジタルカメラで撮影した写真などの記録したいデジタルデータを一時記憶しているメモリカード、ＵＳＢメモリ等の一時記憶媒体を、この接続コネクタ部６３のいずれかに挿入する。接続コネクタ部６３は、データ入力部５３（図２参照）へ接続されており、データ入力部５３は接続された一時記憶媒体からデジタルデータを読み出す。これらの一時記憶媒体にはメモリカード、ＵＳＢメモリ等それぞれ異なる規格の接続インタフェース及びソフトウェアが必要となる。そのため、データ入力部５３には、それぞれの規格にあった多種類の接続コネクタ６３ａ、ｂ・・・・及びそれぞれの規格に対応するソフトウェアを設けることが望ましい。また、接続コネクタ部６３の中に、メモリカード等を介さずにデジタルカメラ等から接続コードを用いて直接接続する接続コネクタ６３ｘを設けることもできる。
【００３４】
操作部５１の右横には、認証入力部５２が設けられている。認証入力部５２としては、指紋認証装置、掌認証装置等のいわゆるバイオ認証装置を設けることもできる。認証入力部５２としてバーコードリーダを設けてもよい。この場合にはバーコード印刷した受領証（レシート）を、認証入力部５２のバーコードリーダにより読み取らせることにより、受取権限を検証する。バーコードによる認証を行うためには、受付完了時に受付認証情報をバードード印刷した受領証を発行する必要がある。図１では、立ち上がり面の右上部に、バーコード印刷した受領証またはレシートを発行するレシート発行口２７を設けている。このような受領証は、キヨスク端末装置１０をＰＯＳシステム等の精算システムと接続して、精算システムから発行させることもできる。この場合には、キヨスク端末装置１０には、後述する精算部５４を設ける必要はない。
【００３５】
また、認証入力部として磁気カード読書装置を設けることにより、受付時に受付認証情報を印刷した磁気カードを発行することも可能である。図１では、垂直面の右側中央部に磁気カード発行／挿入口２８が設けられている。作成要求の受付完了時磁気カード発行／挿入口２８から磁気カードを受け取り、記録媒体の発行要求時に、受付け時に受領した磁気カードを磁気カード出入口２８から挿入する。キヨスク端末装置１０は、磁気データを読み取ることにより発行要求者の受取権限を認証する。この磁気カードは受付完了時に発行して、作成済記録媒体を発行するたびに回収されるので、所定の枚数の磁気カードをキヨスク端末装置１０の内部に収納しておくことにより、繰り返し使用することが可能である。
【００３６】
認証入力部５２の上には、水平面から垂直面にかけて、精算部５４のコイン投入口６４および紙幣挿入口６５が設けられている。受付時または作成済記録媒体の発行時に、コイン投入口６４又は紙幣挿入口６５から精算金額に相当するコインまたは紙幣を投入して精算処理を行う。レシートはレシート発行口２７から発行される。前述したとおり、キヨスク端末装置１０を精算システムに接続することにより、精算システムから精算処理を行うように構成することも可能である。
【００３７】
尚、垂直立ち上がり面の左下に設けられている横長のスロットは、利用者が持参したＣＤ又はＤＶＤ等の記録媒体を内部に挿入する記録媒体挿入口６６である。利用者が記録媒体を持参した場合には、ここから挿入された記録媒体に希望するデジタルデータが記録される。
【００３８】
水平操作面の下方の垂直面には、取出ゲート１８が設けられている。発行要求を受付けると、要求された作成済記録媒体は保管部１７から取出されて、取出しゲート１８の位置（取出し部）まで搬送される。その後、取出ゲート１８が開放されることにより希望する作成済記録媒体の取出しが可能となる。
【００３９】
尚、上記の説明では認証入力部５２として、バイオ認証、バーコード認証、磁気カード認証の例を示したが、これらは例示でありその他の認証方法を用いることも可能である。例えば、会員カードによる認証も可能である。また、受付時に操作部５１に固有の受付番号を表示し、利用者が発行要求時に操作部５１からその受付番号を入力することにより、入力された受付番号から受取権限を認証するようにしてもよい。他人が勝手に取出すことを防止するために、受付番号は連番ではなく、乱数やパリティ等を組み合わせて生成されることが望ましい。
【００４０】
次に図２の機能ブロック図を用いて、本発明の一実施形態にかかるキヨスク端末装置１０の構成及び動作を説明する。キヨスク端末装置１０は、利用者が操作する入出力部５０と、入出力インタフェース１１、論理制御部１２、各種機能モジュール１３〜１９、２６、及び通信制御部２０を備えている。
【００４１】
入出力部５０は、表示部及びタッチプレート等の入力部を備える操作部５１、指紋読取装置、掌認証データ読取装置、バーコード読取装置、又は磁気カード読取装置等からなり認証情報の入力を行う認証入力部５２、メモリカード、ＵＳＢメモリ等から記録の対象となるデジタルデータを読み取るデータ入力部５３、料金の精算を行う精算部５４等を備えている。これらの各部５１〜５４は入出力インタフェース１１を介して論理制御部１２に接続されている。
【００４２】
機能モジュールとして、記録媒体を作成するためのデータを一時的に記憶するハードディスク等の一時記憶部１３、記録データを記録媒体に書込むデータ記録部１４、レーベル印刷を行うレーベル印刷部１５、未使用記録媒体を多数収納している未使用記録媒体収納部１６、作成済記録媒体を作成者が取出すまで保管する保管部１７、作成済記録媒体を外部に取出すための取出ゲート１８、記録媒体を目的の場所に搬送する搬送機構１９、及び記録媒体挿入口６６の開閉を行う媒体挿入ゲート２６を備えている。レーベル印刷を行わない場合には、レーベル印刷部１５は不要である。  データ記録部１４（１４ａ〜１４ｎ）を複数設けているのは、複数の作成要求を受付た場合に、同時に並行して複数の記録媒体の作成処理を行うことにより、記録媒体の書込み処理を高速化するためである。作成要求があまり多くないと予想されるキヨスク端末装置１０の場合には、データ記録部は１台のみ設けるようにしても構わない。尚、図１においては、印刷部１５は１台だけしか示されていないが、データ記録部１４（１４ａ〜１４ｎ）と同様に印刷部１５を複数台設けることも可能である。これにより、レーベル印刷処理の速度の向上を図ることが可能となる。また、未使用媒体収納部１６には、ＣＤ，ＤＶＤ等の各種媒体の種類に応じて異なる複数の種類の記録媒体を収納しておくことが望ましい。
【００４３】
＜論理制御部＞
論理制御部１２は、管理制御部２１と装置制御部２２を備えており、これらはＣＰＵ及び制御プログラム、各種メモリ及び論理回路等(図示せず）から構成されて、キヨスク端末装置１０全体の管理及び各種動作を制御する。
【００４４】
管理制御部２１は、大きくわけて、利用者による入出力部５０からの作成要求を受付ける受付処理行う機能と、完成した作成済記録媒体を取り出すために発行要求を受付けて、発行希望者に作成済記録媒体を発行する発行処理を行う機能と、記録媒体の作成を優先順（原則として受付け順）に効率的に行うよう制御する作成制御処理機能とを備えている。装置制御部２２は、管理制御部２１からの命令に従い、搬送機構１９、データ記録部１４、及び印刷部１５を制御して、記録媒体の搬送、デジタルデータの記録媒体への書き込み処理、及びレーベル印刷処理等の各種処理を個別的に実行する。
【００４５】
図３に管理制御部２１の機能ブロック図を示す。管理制御部２１は、受信バッファ３１、出力バッファ３４、受付制御部３２、記憶制御部３３、発行制御部３５、及び作成制御部３６を備えている。
【００４６】
受信バッファ３１は、入出力制御部５０から送信された入力データを入出力インタフェース１１を介して受信して一時記憶するバッファである。出力バッファ３４は、受付制御部３２または発行制御部３５から論理制御部の外に出力する出力データを一時記憶するバッファである。出力バッファに記憶されたデータは、入出力インタフェース１１を介して入出力部５０に出力され、または通信制御部２０を介して精算システム、または携帯メール等に送信される。
【００４７】
受付制御部３２は、受付処理部４１及びデータ取得部４２を備えている。受付処理部４１は、受付処理全般を制御する。例えば、受付け操作の手順を説明する受付け操作ガイダンスの出力、完成した作成済み記録媒体を受け取る際に必要な受付認証情報の出力、及び精算処理等を行う。データ取得部４２は、接続コネクタ部６３に接続されたメモリカード等の一時記憶媒体から記録媒体に記録するデジタルデータを読み出し、記憶制御部３３を介してハードディスク等の一時記憶部１３に記憶する。
【００４８】
発行制御部３５は、発行処理部４３、認証処理部４４、及び通知処理部４５を備えている。発行処理部４３は、完成した記録媒体の取出し要求があったときに、発行処理全般を制御する。例えば、発行要求のための操作手順を説明する操作ガイダンスの出力、及び要求のあった作成済記録媒体の発行処理等を行う。認証処理部４４は、発行要求があったときに、発行希望者の受取権限の認証を行う。通知処理部４５は、記録媒体の作成が完了したときに、作成済記録媒体が受取可能であることを、携帯メール等を通じて利用者に通知するための処理を行う。
【００４９】
作成制御部３６は、プロセス管理部３７及びプロセス制御部３８を備えている。プロセス管理部３７は、受付順等の優先順位に従って、記録媒体へのデジタルデータの書込み処理、書込み処理の終了後のレーベル印刷等を正しくかつ効率的に行うように各作成要求の作成プロセスを管理する。プロセス制御部３８は、プロセス管理部３７の制御に基づき装置制御部２２を制御して、記録媒体を完成させる。
【００５０】
＜受付処理手順＞
受付制御部３２による受付処理手順を図４及び図５を用いて説明する。図４は受付制御部３２の基本処理手順の一例を示すフローチャートであり、図５は図４における受付処理工程（Ｓ１０２）の処理手順の一例を示すフローチャートである。
【００５１】
図４を用いて基本処理手順を説明する。キヨスク端末装置１０の電源が投入されると所定の初期設定がなされる（図示せず）。その後、受付制御部３２は、操作部５１から作成要求の入力があるかどうか、及び発行要求があるかどうかを確認する（Ｓ１０１、Ｓ１０５）。作成要求の入力があると、（Ｓ１０１；Ｙｅｓ）、受付操作ガイダンスを流し所定の作成要求の受付処理を実行する（Ｓ１０２）。受付処理が完了すると（Ｓ１０３；Ｙｅｓ）、プロセス管理部３７に対して、ジョブ登録を要求する（Ｓ１０４）。これに基づき、プロセス管理部３７では、作成要求を実行するためのジョブキュー（作成要求処理待ち行列）の最後尾に、受け付けた作成要求に対応するジョブを登録する。これにより、受付処理が完了し、ジョブキューの登録順に、作成処理が順次実行される。
【００５２】
作成要求ではなく（Ｓ１０１；Ｎｏ）、発行要求があると（Ｓ１０５；Ｙｅｓ）、発行処理起動要求が発行制御部３５へ出力される（Ｓ１０６）。これらの処理が終わると、再び次の作成要求、または発行要求があるかどうかを確認し、要求に応じて同様の処理を繰り返す。
【００５３】
図４の受付処理工程（Ｓ１０２）の一例を図５を用いて説明する。記録媒体の作成要求があると（図４のＳ１０１；Ｙｅｓ）、記録媒体作成の受付け登録を行うための操作手順を説明する受付操作ガイダンスを起動する（Ｓ２０１）。これにより、利用者の操作状況に応じて、適切な操作案内が順次出力される。操作案内は、表示によるガイダンス、音声によるガイダンス、又はその双方のいずれであってもよい。ガイダンスを出力するのは周知技術であるので、ガイダンスの詳細についてはこれ以上説明しないが、デジタルデータを記録する記録媒体の種類、記録モード、レーベル印刷の内容等の細かい設定を選択できるように操作案内することが望ましい。また、これとは逆に、基本記録コースを設けて、基本的な事項のみを入力することにより、汎用性の高い標準的な記録形式により記録媒体を作成するよう構成することもできる。
【００５４】
受付操作ガイダンスが起動されると、ガイダンスに従って入力される各種設定入力を受付け（Ｓ２０２）、さらにメモリカード等の一時記憶媒体が接続されるのを待つ（Ｓ２０３；Ｎｏ）。一時記憶媒体が接続されると（Ｓ２０３；Ｙｅｓ）、接続された一時記録媒体からデジタルデータを読み出して、ハードディスク等の一時記憶装置１３に記憶する（Ｓ２０４）。デジタルデータの記憶が終了すると（Ｓ２０５；Ｙｅｓ）、利用者の連絡先を登録する（Ｓ２０６）。連絡先は、携帯メールアドレス、携帯電話番号等、いくつかの手段を選択可能とすることが望ましい。また、連絡先を登録するか否かは利用者の意思により選択可能にすることが望ましい。
【００５５】
連絡先の登録が終了すると、または連絡先の登録をしないとの選択がなされた場合、受付認証情報の発行処理を行う（Ｓ２０７）。受付認証情報としては、例えば固有の受付け番号を知らせる等、種々のものを発行できる。固有の受付番号を発行する場合には、受付け番号を容易に覚られることのないように、乱数やパリティチェック等を用いてランダムな固有の受付番号を発行することが望ましい。これらの固有の受付番号は、前述したように、バーコード印刷しても、磁気カードに磁気記録して発行しても良い。また、指紋や掌認証を行う場合には、この時点で利用者の指紋等を読み込み登録するようにすることもできる。
【００５６】
これらの処理が終了すると、精算処理を行う（Ｓ２０８）。必要な金銭がコイン投入口、または紙幣挿入口を介して支払われる。尚、清算処理が行われてから、受付認証情報を発行するようにしても良い。  最後に、メモリカード等の一時記憶媒体が取り外されたかどうかが確認され（Ｓ２０９）、残っている場合には（Ｓ２０９；Ｙｅｓ）、とり忘れの警告が音声または表示等により行われる（Ｓ２１０）。一時記憶媒体が取り外されると（Ｓ２０９；Ｎｏ）、各種パラメータやバッファのクリア等の受付終了処理を行い（Ｓ２１１）、受付処理を終了する。
【００５７】
尚、精算処理をキヨスク端末装置１０では行わず、例えば、ＰＯＳシステム等のような、キヨスク端末装置１０に接続された精算処理システムで行う場合、受付認証情報は、精算カウンタから発行することが望ましい。例えば、受付情報をレシートに印刷して渡すことも可能である。この場合、キヨスク端末装置の受付処理は、次の受付要求処理を開始することは可能であるが、所定時間内に精算処理が行われなければ、受付登録は抹消される。
【００５８】
＜記録媒体の作成処理手順＞
受付制御部３２による受付処理が完了して、プロセス管理部３７のジョブキューにジョブ登録が行われると、プロセス制御部３８は、装置制御部２２に各種命令を順次出力して、記録媒体の作成を実行する。図６にプロセス制御部３８及び装置制御部２２による記録媒体の作成処理の制御手順の一例を示す。ジョブ登録が行われると、プロセス制御部３８は、ジョブキューに登録された順に、各ジョブを実行する。まず、いずれかのデータ記録部１４に空きがあるかどうかを確認する（Ｓ３０１）。すべてのデータ記録部が使用中であると、未使用記録媒体をデータ記録部１４に搬送することができないので、データ記録部が空くのを待つ（Ｓ３０１；Ｎｏ）。
【００５９】
データ記録部１４に空きがあると（Ｓ３０１；Ｙｅｓ）、未使用記録媒体を未使用媒体収納部１６から取出して、データ記録部１４に搬送する搬送命令を出力する。利用者が持ち込んだ記録媒体に記録する場合には、媒体挿入口６６から挿入された記録媒体をデータ記録部１４へ搬送する搬送命令を出力する。プロセス制御部３８からの搬送命令を受信すると、装置制御部２２は、搬送機構１９を制御して、未使用媒体収納部１６または媒体挿入口６６から未使用記録媒体または挿入された記録媒体を取出して搬送し、データ記録部１４にセットする（Ｓ３０２）。
【００６０】
未使用記録媒体がデータ記録部１４にセットされると、プロセス制御部３８は、装置制御部２２に書込み命令を出力する。書込み命令に基づき、装置制御部２２は一時記憶部１３から記録するデジタルデータを読み出し、データ記録装置１４の記録媒体へのデータの書込みを行う（Ｓ３０３）。
【００６１】
デジタルデータの書込みが終わると、プロセス制御部３８は書込が終わった記録媒体をレーベル印刷部１５へ搬送できるかどうかを確認する（Ｓ３０４）。レーベル印刷部１５が印刷中である等の理由により、搬送できない場合には、印刷が終わり搬送できるようになるのを待つ（Ｓ３０４；Ｎｏ）。尚、図６では示していないが、レーベル印刷部１５が使用中の場合には、書込みの終了した記録媒体を特別に設けられた一時保管場所（図示せず）に退避させることにより、次の書込み要求のためにデータ記録部１４を開放するように構成することも可能である。
【００６２】
レーベル印刷部１５への搬送が可能になると、プロセス制御部３８は搬送命令を出力して書込み済みの記録媒体をレーベル印刷部に搬送する（Ｓ３０５）。搬送が終了すると、印刷命令を出力して、レーベル印刷部１５によりレーベル印刷を実行する（Ｓ３０６）。レーベル印刷の内容は、キヨスク端末装置内にプリセットされているものでも、個別にレーベル印刷内容を入力するように構成してもよい。
【００６３】
レーベル印刷が終了すると、プロセス制御部３８は、装置制御部２２に搬送命令を出力し、書き込み及びレーベル印刷の完了した作成済記録媒体を、装置内部にある保管部１７に搬送して保管する（Ｓ３０７）。保管場所は、発行制御部３５に通知され、発行処理部４３により管理される。
【００６４】
記録媒体の作成が終わると、プロセス管理部３７から発行制御部３５に記録媒体が完成した旨を通知する。これにより、発行制御部３５において通知処理部４５が起動されて、携帯メール等の連絡先が登録されているかどうかが確認される（Ｓ３０８）。連絡先が登録されている場合には（Ｓ３０８；Ｙｅｓ）、登録されている連絡先に、記録媒体の作成が完了した旨の完成通知が発信される（Ｓ３０９）。完成通知は、出力バッファ３４を介して通信制御部２０に送られ、通信制御部２０により利用者に送信される。連絡先が登録されていない場合（３０８；Ｎｏ）、及び完成通知の送信が終了すると（３０９）、記録媒体の作成処理を終了する。
【００６５】
＜発行処理手順＞
次に、利用者の発行要求を受付け、保管部１７から作成済の記録媒体を発行する発行処理手順について、図７及び図８を用いて説明する。図７は、本発明の一実施形態にかかる発行要求処理の基本処理手順について示すフローチャートであり、図８は、図７における発行処理手順（Ｓ４０２）の一例を示すフローチャートである。
【００６６】
まず、図７を用いて、発行要求処理の基本処理手順を説明する。図４で説明した通り、受付制御部３２は、操作部５１からの入力を監視しており、発行要求を受信すると（Ｓ１０５；Ｙｅｓ）、発行処理起動要求を発行制御部３５に出力する（Ｓ１０６）。発行制御部３５は、発行処理起動要求を受信すると（Ｓ４０１；Ｙｅｓ）、発行処理を起動して指定された作成済記録媒体を発行するための各種処理を実行する（Ｓ４０２）。発行処理が完了すると（Ｓ４０３；Ｙｅｓ）、プロセス管理部３６に登録されているジョブ登録を抹消して（Ｓ４０４）、要求された発行処理を終了する。
【００６７】
図８を用いて、図７の工程Ｓ４０２に示す発行処理手順の一例を説明する。発行処理手順が起動されると、まず、発行処理操作手順を利用者に案内するためのガイダンスが起動される（Ｓ５０１）。次に、ガイダンスに従って入力された利用者の受付認証情報が検証される（Ｓ５０２）。図８では、認証が取れるのを待つ構成となっているが（Ｓ５０２；Ｎｏ）、所定時間が経過しても認証確認ができないとき、または認証入力処理を所定回数繰り返しても認証できない場合には、発行処理を強制終了するように構成することもできる。
【００６８】
受付認証情報による認証が完了すると（Ｓ５０２；Ｙｅｓ）、作成制御部３６に対して作成済記録媒体の発行要求が出力される。それに基づいて、作成制御部３６のプロセス制御部３８から装置制御部２２に発行命令が出力される（Ｓ５０３）。装置制御部２２は、発行命令に基づいて、要求された作成済記録媒体を保管部１７から取り出して、取出しゲート１８の位置まで搬送する。作成済記録媒体の搬送が終わると（Ｓ５０４；Ｙｅｓ）、取出しゲート１８を開放、もしくは開放することができるようにロックを解除する（Ｓ５０５）。これにより、作成済記録媒体の取出しが可能となる。
【００６９】
次に、記録媒体が取出されたかどうかを確認し、取出されていない場合には（Ｓ５０６；Ｎｏ）、作成済記録媒体を取り出すように利用者に案内または警告を発する（Ｓ５０７）。作成済記録媒体が取出されると（Ｓ５０６；Ｙｅｓ）、発行処理を終了するための発行終了処理を行う。発行終了処理としては、例えば、作成要求を受け付けた利用者の連絡先等の情報の抹消、及び関連するデジタルデータの抹消（デジタルデータは記録媒体の作成が完成した時点で抹消してもよい）や、関連する各種パラメータの削除処理等がある。
【００７０】
＜その他＞
以上の説明においては、デジタルデータをハードディスク等の一時記憶部１３へ記録してから受付処理を終了させ、その時点でメモリカード等の一時記憶媒体を取り外す実施形態を説明した。しかし、デジタルデータが大量の場合には、ハードディスク等への記録にも時間がかかる場合がある。そのため、一時記憶媒体を接続コネクタ部６３に接続した時点で、すぐに受付情報を発行して受付け処理を終了するように構成することもできる。この場合、利用者の一時記憶媒体は接続されたままであるので、後続の利用者の作成要求を受け付けるために、さらに多くの接続コネクタを設けることが望ましい。また、接続されたままの一時記憶媒体を他の人に持ち去られるのを防止するため、接続された一時記憶媒体を取り外すことができないように発行要求があり受付認証情報が一致するまで、一時記憶媒体を取り外すことができないようにロックする構成とすることが望ましい。
【００７１】
また、受付処理を終了するときに、現在既に受付けているジョブの数、一時記憶部に記憶しているデジタルデータの量等から、受付けた作成要求に対応する記録媒体の完成予想時間を表示するように構成することも可能である。
【００７２】
さらに、デジタルデータを記録する記録媒体を持参してくる利用者が多い場合に備えて、媒体挿入口６６から挿入された記録媒体を複数保管できる一時保管場所を設けることも可能である。
【図面の簡単な説明】
【００７３】
【図１】本発明の一実施形態にかかるキヨスク端末装置の外観を示す斜視図である。
【図２】キヨスク端末装置の構成を示す機能ブロック図である。
【図３】本発明の一実施形態にかかる管理制御部の機能ブロック図である。
【図４】受付処理部の基本処理手順を示すフローチャートである。
【図５】図４における受付処理工程（Ｓ１０２）の処理手順の一例を示すフローチャートである。
【図６】プロセス制御部及び装置制御部による記録媒体の作成処理手順の一例を示すフローチャートである。
【図７】本発明の一実施形態にかかる発行要求処理の基本処理手順について示すフローチャートである。
【図８】図７における発行処理手順（Ｓ４０２）の一例を示すフローチャートである。
【符号の説明】
【００７４】
１０  キヨスク端末装置                  １１  入出力インタフェース
１２  論理制御部                        １３  一時記憶部（ＨＤＤ）
１４  データ記録部                      １５  レーベル印刷部
１６  未使用媒体収納部                  １７  保管部
１８  取出ゲート                        １９  搬送機構
２０  通信制御部                        ２１  管理制御部
２２  装置制御部                        ２６  媒体挿入ゲート
２７  レシート発行口                    ２８  磁気カード発行／挿入口
３１  受信バッファ                      ３２  受付制御部
３３  記憶制御部                        ３４  出力バッファ
３５  発行制御部                        ３６  作成制御部
３７  プロセス管理部                    ３８  プロセス制御部
５０  入出力部                          ５１  操作部
５２  認証入力部                        ５３  データ入力部
５４  精算部                            ６３  接続コネクタ部
６３ａ、６３ｂ…６３ｘ  接続コネクタ    ６４  コイン投入部
６５  紙幣挿入部
【図１】
2007128130.tif 000003
【図２】
2007128130.tif 000004
【図３】
2007128130.tif 000005
【図４】
2007128130.tif 000006
【図５】
2007128130.tif 000007
【図６】
2007128130.tif 000008
【図７】
2007128130.tif 000009
【図８】
2007128130.tif 000010